【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
水晶体超音波乳化吸引術用ハンドピースであって、
遠位端および近位端を有する本体と、
前記本体の前記遠位端に配置され、外科部位から吸引流体を吸引するように構成された超音波先端部と、
灌流流体で前記外科部位を灌流するように構成された前記本体の前記遠位端に配置されたスリーブと、
前記本体内に配置され、前記超音波先端部および前記スリーブと流体連通している着脱式カートリッジであって、
前記吸引流体を含むように構成された吸引導管と、
前記灌流流体を含むように構成された灌流導管と、を備える、着脱式カートリッジと、
前記本体内に配置され、前記吸引導管および前記灌流導管と接続しているポンプであって、前記ポンプの作動時に、前記灌流導管内の前記灌流流体が、前記スリーブに向かい、かつ前記近位端から離れる方向に流動し、前記吸引導管内の前記吸引流体が、前記先端部から離れ、かつ前記近位端に向かう方向に流動するような、ポンプと、を備える、ハンドピース。
【請求項２】
前記本体内に配置され、前記吸引導管と接続するように構成されたバルブを更に備え、前記バルブが、前記吸引導管内の吸引流体の流量を制御するように構成されている、請求項１に記載のハンドピース。
【請求項３】
前記本体内に配置され、流量または前記外科部位での圧力を表す圧力を検出するように構成されたセンサを更に備える、請求項２に記載のハンドピース。
【請求項４】
前記センサが、前記灌流導管に沿って、前記吸引導管に沿って、または前記ハンドピース本体の前記遠位端付近で、前記ハンドピース内に位置する、請求項３に記載のハンドピース。
【請求項５】
前記ポンプ、前記バルブ、および前記センサと通信するコントローラを更に備え、前記コントローラが、前記センサから受け取った情報に基づいて前記ポンプおよび前記バルブを制御する、請求項３に記載のハンドピース。
【請求項６】
前記ポンプが、蠕動ポンプである、請求項１に記載のハンドピース。
【請求項７】
前記バルブが、前記ポンプと前記先端部との間に位置する、請求項２に記載のハンドピース。
【請求項８】
前記バルブが、前記ポンプと吸引流体の排液貯槽との間に位置し、前記排液貯槽が、前記吸引導管と流体連通している、請求項２に記載のハンドピース。
【請求項９】
前記灌流導管が、第１の断面積を含み、前記吸引導管が、第２の断面積を含み、前記第１の断面積が、前記第２の断面積より大きい、請求項１に記載のハンドピース。
【請求項１０】
前記本体が、前記カートリッジを受容するための開口部を形成する、請求項１に記載のハンドピース。
【請求項１１】
外科部位を灌流し、前記外科部位から流体を吸引する方法であって、
流体を、水晶体超音波乳化吸引術用ハンドピース内の吸引導管を通して、前記吸引導管と接続している前記ハンドピース内のポンプから生じる真空圧を用いて、誘導することと、
灌流流体を、前記ハンドピース内の灌流導管を通して、前記灌流導管と接続している前記ポンプから生じる圧力を用いて、誘導することと、
前記ハンドピース内の前記ポンプを作動することによって、前記灌流導管を通る灌流流体流量を増大させることと、
センサを用いて、外科部位に関連する圧力を検出することと、
前記検出された圧力に基づいて、吸引バルブの状態を調節することによって、眼内圧力（ＩＯＰ）を制御することと、を含む、方法。
【請求項１２】
前記圧力に基づいてポンプ速度を調節することによってＩＯＰを制御することを更に含む、請求項１１に記載の方法。
【請求項１３】
前記センサが、前記灌流導管に沿って、または前記吸引導管に沿って、または両方に沿って、前記ハンドピース内に位置する、請求項１１に記載の方法。
【請求項１４】
前記吸引バルブの状態を調節することによって前記ＩＯＰを制御することが、
前記検出された圧力に基づいて、前記吸引流量を増大するべきかまたは減少するべきかを判断することと、
前記吸引流量を増大するべきである場合、前記吸引バルブを用いて前記吸引流量を増大させることと、
前記吸引流量を減少するべきである場合、前記吸引バルブを用いて前記吸引流量を減少させることと、を含む、請求項１１に記載の方法。
【請求項１５】
前記吸引バルブが、前記ポンプと前記外科部位との間に位置する、請求項１２に記載の方法。
【請求項１６】
前記吸引バルブが、前記ポンプと前記吸引流体の排液貯槽との間に位置する、請求項１２に記載の方法。
【請求項１７】
外科部位に関連する前記検出された圧力をコントローラに通信することと、
前記コントローラによって前記ポンプの動作を制御することと、
前記コントローラによって前記吸引バルブの動作を制御することと、を更に含む、請求項１２に記載の方法。
【請求項１８】
前記灌流導管が、第１の断面積を含み、前記吸引導管が、第２の断面積を含み、前記第１の断面積が、前記第２の断面積より大きい、請求項１１に記載の方法。
【請求項１９】
眼科手術中に眼を灌流し、眼から流体を吸引するための吸引および灌流システムであって、
水晶体超音波乳化吸引術用ハンドピースであって、
遠位端および近位端を有する把持可能な本体と、
外科部位から離れるように吸引流体を運搬するように構成された吸引導管と、
前記外科部位に向かって灌流流体を運搬するように構成された灌流導管と、
前記ハンドピース内に配置されるポンプであって、前記ポンプの少なくとも一部分が、前記吸引導管および前記灌流導管と接続し、前記ポンプの作動時に、前記灌流導管内の前記灌流流体が前記外科部位に向かう方向に流動し、前記吸引導管内の前記吸引流体が前記外科部位から離れる方向に流動する、ポンプと、
前記吸引導管と接続するように構成された前記ハンドピース内に配置されたバルブであって、前記吸引導管内の吸引流体の流量を制御するように構成されている、バルブと、
外科部位圧力を表す圧力を検出するセンサと、を備える、水晶体超音波乳化吸引術用ハンドピースと、
前記ポンプ、前記バルブ、および前記センサと通信するコントローラであって、
前記コントローラが、前記センサからの情報に基づいて前記ポンプおよび前記バルブの前記動作を制御するように構成され、
前記コントローラが、前記外科部位における眼内圧力（ＩＯＰ）を変更するように構成される、コントローラと、を備える、システム。
【請求項２０】
前記コントローラが、前記ポンプ速度を調節することによって、または前記バルブの状態を調節することによって、または両方によってＩＯＰを変更するように構成される、請求項１９に記載のシステム。
【請求項２１】
前記バルブが、前記ポンプと前記遠位端に位置する先端部との間に位置する、請求項１９に記載のシステム。
【請求項２２】
前記バルブが、前記ポンプと前記吸引流体の排液貯槽との間に位置する、請求項１９に記載のシステム。
【請求項２３】
前記センサが、前記灌流導管に沿って、または前記吸引導管に沿って、または両方に沿って、前記ハンドピース内に位置する、請求項１９に記載のシステム。
【請求項２４】
前記灌流導管が、第１の断面積を含み、前記吸引導管が、第２の断面積を含み、前記第１の断面積が、前記第２の断面積より大きい、請求項１９に記載のシステム。
【請求項２５】
前記ハンドピースが、前記吸引導管の少なくとも一部分および前記灌流導管の少なくとも一部分を有する前記本体内に配置された着脱式カートリッジを更に備える、請求項１９に記載のシステム。
【請求項２６】
ＩＯＰ制御を容易にするように、灌流ラインを吸引ラインに接続するラインを通る流量を制御する第２の制御バルブを備える、請求項１９に記載のシステム。